(57)【特許請求の範囲】
【請求項１】
建築物の上下階に跨って設置された主枠と、この主枠に支持され、無端状に連結されて移動する踏段を備え、前記主枠の下辺部は、傾斜部と、その長手方向の両端部にそれぞれ上階と下階とに連なる水平部とを有するエスカレーターにおいて、
前記主枠の上水平部の途中から前記主枠の傾斜部にかけて前記上辺部を緩やかにかつ直線的に上方へ配置し、前記主枠の下水平部の途中から前記傾斜部にかけて前記上辺部を緩やかにかつ直線的に上方へ配置して、前記上辺部と下辺部の間隔を前記上下水平部の途中から前記傾斜部にかけて緩やかに広げ、前記傾斜部における前記主枠の上辺部と下辺部間の間隔を前記水平部の長手方向端部における上辺部と下辺部間の間隔より広くしたことを特徴とするエスカレーター。
【請求項２】
無端状に連結されて移動する踏段と、この踏段の進行方向に沿って両側に立設された欄干と、この欄干の周縁に案内され、前記踏段と同期移動する移動手摺と、これらを全長に亘って支持し、傾斜部とその両側に水平部を有する主枠を備えたエスカレーターにおいて、
前記主枠の上水平部の途中から前記主枠の傾斜部にかけて前記上辺部を緩やかにかつ直線的に上方へ配置し、前記主枠の下水平部の途中から前記傾斜部にかけて前記上辺部を緩やかにかつ直線的に上方へ配置して、前記上辺部と下辺部の間隔を前記上下水平部の途中から前記傾斜部にかけて緩やかに広げ、前記傾斜部における主枠の上辺部を、前記欄干内で前記移動手摺に近接して配置したことを特徴とするエスカレーター。
【請求項３】
中間踊り場を有する建築物の階段に設置され、傾斜部とその両側に上下水平部を有する主枠を備え、この主枠は、左右一対に設けられた側枠体を有し、前記側枠体は、上辺部と下辺部とこの両辺部間を連結する部材とを有するエスカレーターにおいて、
前記側枠体の上辺部と下辺部間の間隔を、前記主枠の傾斜部から上下水平部に亘って、前記主枠の端部における前記側枠体の上辺部と下辺部間の間隔より広くし、前記主枠の上水平部における側枠体の上辺部と下辺部間の間隔が変化する位置で、前記主枠を下方から支持する支持手段を設け、前記支持手段は、前記階段に設置され、前記主枠を支持する第１の支持手段と、この第１の支持手段の下方に設置され、前記階段を支持する第２の支持手段とにより構成されることを特徴とするエスカレーター。
【請求項４】
建築物の上下階に跨って設置された主枠と、この主枠に支持され、無端状に連結されて移動する踏段を備え、前記主枠の下辺部は、傾斜部と、その長手方向の両端部にそれぞれ上階と下階とに連なる水平部とを有するエスカレーターにおいて、
前記水平部の高さ寸法は、前記踏段の奥行き寸法の２倍以下で、前記踏段の高さ寸法の２倍以上であり、前記主枠の上水平部の途中から前記主枠の傾斜部にかけて前記上辺部を緩やかにかつ直線的に上方へ配置し、前記主枠の下水平部の途中から前記傾斜部にかけて前記上辺部を緩やかにかつ直線的に上方へ配置して、前記上辺部と下辺部の間隔を前記上下水平部の途中から前記傾斜部にかけて緩やかに広げ、前記傾斜部における前記主枠の上辺部と下辺部間の間隔を前記水平部の長手方向端部における上辺部と下辺部間の間隔より広くしたことを特徴とするエスカレーター。
【請求項５】
無端状に連結されて移動する踏段と、この踏段の進行方向に沿って両側に立設された欄干と、この欄干の周縁に案内され、前記踏段と同期移動する移動手摺と、これらを全長に亘って支持し、傾斜部とその両側に水平部を有する主枠を備えたエスカレーターにおいて、
前記水平部の高さ寸法は、前記踏段の奥行き寸法の２倍以下で、前記踏段の高さ寸法２倍以上であり、前記主枠の上水平部の途中から前記主枠の傾斜部にかけて前記上辺部を緩やかにかつ直線的に上方へ配置し、前記主枠の下水平部の途中から前記傾斜部にかけて前記上辺部を緩やかにかつ直線的に上方へ配置して、前記上辺部と下辺部の間隔を前記上下水平部の途中から前記傾斜部にかけて緩やかに広げ、前記傾斜部における主枠の上辺部を、前記欄干内で前記移動手摺に近接して配置したことを特徴とするエスカレーター。
【請求項６】
前記傾斜部における上辺部と下辺部の間隔は、前記水平部の長手方向端部における上辺部と下辺部間の間隔の２倍以上に広く形成されることを特徴とする請求項１，２，３，４又は５記載のエスカレーター。
【請求項７】
建築物の上下階に跨って設置された主枠と、この主枠に支持され、無端状に連結されて移動する踏段を備え、前記主枠の下辺部は、傾斜部と、その長手方向の両端部にそれぞれ上階と下階とに連なる水平部とを有するエスカレーターにおいて、
前記主枠の上水平部の途中から前記主枠の傾斜部にかけて前記上辺部を緩やかにかつ直線的に上方へ配置し、前記主枠の下水平部の途中から前記傾斜部にかけて前記上辺部を緩やかにかつ直線的に上方へ配置して、前記上下水平部の途中から上下水平部と傾斜部との前記下辺部の境目上を跨いで、前記上辺部と下辺部の間隔を前記傾斜部にかけて緩やかに広げ、前記傾斜部における前記主枠の上辺部と下辺部の間隔を前記水平部の長手方向端部における上辺部と下辺部間の間隔より広くしたことを特徴とするエスカレーター。
【発明の詳細な説明】
【０００１】
【発明の属する技術分野】
本発明は、エスカレーターに係り、特に、主枠の高さ寸法が低いエスカレーターに関する。
【０００２】
【従来の技術】
主枠の高さ寸法を全長に亘って低くしたエスカレーターは、特開平１−242389号公報，特開平１０−２５０９６８号公報に開示されている。
【０００３】
【発明が解決しようとする課題】
上記構成によれば、エスカレーターの設置スペースが小さくなるので設置に有利であるが、同時に主枠の強度が不足し、エスカレーターを構成する踏段，移動手摺，欄干等を支えることが困難となる問題がある。また、主枠の強度不足から、特に主枠全体に撓みが生じ易くなり、エスカレーターを一体で運搬及び据え付けする際に、補強が必要になる問題がある。さらに、主枠の撓みからエスカレーター組立て時の芯出しが厄介になるという問題が生じる。
【０００４】
本発明の目的は、主枠の高さ寸法を低くしたエスカレーターの設置の有利性を損なうことなく、主枠の強度が維持できるエスカレーターを提供することにある。
【０００５】
【課題を解決するための手段】
本発明は、建築物の上下階に跨って設置され、傾斜部とその両側に上下水平部を有する主枠を備え、この主枠は、左右一対に設けられた側枠体を有し、前記側枠体は、上辺部と下辺部とこの両辺部間を連結する部材とを有するエスカレーターにおいて、前記側枠体の上辺部と下辺部間の間隔を、前記主枠の傾斜部から上下水平部に亘って、前記主枠の端部における前記側枠体の上辺部と下辺部間の間隔より広くしたことを特徴とする。
【０００６】
【発明の実施の形態】
以下、本発明の実施例を図面を用いて説明する。
【０００７】
図１〜図４を用いて、本発明の一実施例であるエスカレーターについて説明する。
【０００８】
建築物（図示せず）の上階床１と下階床２に跨って階段３が設けられている。この階段３は、中間踊り場４が設けられ、その上下に連なって上部傾斜通路５と下部傾斜通路６とが形成されている。
【０００９】
この階段３にエスカレーター７を設置する場合、エスカレーター７を階段３の幅方向の一部を利用して配設し、エスカレーター７の上下端部を上階床１と下階床２に跨って支持している。このエスカレーター７は、前記上階床１と下階床２に跨って設置された主枠８と、踏段チェーン９Ａ，９Ｂによって無端状に連結され、前記主枠８内に案内されて移動する踏段１０と、この踏段１０の移動方向に沿ってその両側に立設された一対の欄干１１Ａ，１１Ｂと、これら欄干１１Ａ，１１Ｂの周縁に案内され、前記踏段１０と同期移動する移動手摺１２Ａ，１２Ｂなどにより構成されている。
【００１０】
前記主枠８は、左右一対の側枠体１３Ａ，１３Ｂと、これらを連結する横部材（図示せず）とを有し、これら側枠体１３Ａ，１３Ｂは、側枠体の上辺部となる上弦材１４と、この上弦材１４の下方に間隔をおいて配置された側枠体の下辺部となる下弦材１５と、これらの間を連結する縦部材１６とからなり、図１に示すようなトラス構造を組んでいる。
【００１１】
また、前記上弦材１４は、主枠８の全長に亘って、側枠体１３Ａ，１３Ｂの上辺部に設けられ、前記下弦材１５も、主枠８の全長に亘って、側枠体１３Ａ，１３Ｂの下部に設けられている。
【００１２】
上記構成の側枠体１３Ａ，１３Ｂを有する前記主枠８は、上階床１に支持される上水平部Ａと下階床２に支持される下水平部Ｂとこれらの間に位置する傾斜部Ｃとで形成されている。
【００１３】
このように構成された前記主枠８の上下水平部Ａ，Ｂの高さ寸法ｈａ，ｈｂは、踏段１０が方向転換する位置での軌跡を変化させ、あるいは方向転換する踏段１０の姿勢を変化させることなどにより、その踏段１０の奥行き寸法の２倍以下で、踏段１０の高さ寸法の２倍以上となるように低く形成している。その結果、高さ寸法ｈａ，ｈｂは、従来の主枠の上下水平部の高さ寸法と比べて３０％以上低くしている。
【００１４】
上記のように構成された主枠８の上水平部Ａ内には、一対の駆動スプロケットが軸支され、下水平部Ｂ内には、一対の従動スプロケットが同様に軸支されている（いずれも図示せず）。これら一対の駆動スプロケット及び従動スプロケットには一対の無端状の踏段チェーン９Ａ，９Ｂが巻掛けられており、これら踏段チェーン９Ａ，９Ｂには複数の踏段１０が連結されている。
【００１５】
踏段１０は、幅方向の両側に張出した前輪軸１７に回転自在に軸支された一対の前輪１８Ａ，１８Ｂと、これら前輪１８Ａ，１８Ｂよりも狭い間隔で軸支された一対の後輪１９Ａ，１９Ｂを備えている。これら前輪１８Ａ，１８Ｂ及び後輪１９Ａ，１９Ｂは、前記主枠８に支持された各案内レール２０，２１上を転動して踏段１０を所定の軌跡で移動させている。
【００１６】
上記構成のほかに、前記主枠８には、踏段１０の進行方向の両側に沿って一対の欄干１１Ａ，１１Ｂが立設されている。この欄干１１Ａ，１１Ｂは、欄干パネル２２Ａ，２２Ｂと、この欄干パネル２２Ａ，２２Ｂの周縁に設けられた手摺フレーム２３Ａ，２３Ｂと、前記欄干パネル２２Ａ，２２Ｂの基部を被う内デッキカバー２４Ａ，２４Ｂと、前記内デッキカバー２４Ａ，２４Ｂと前記踏段１０とを仕切るスカートガード２５Ａ，２５Ｂとで構成されている。この欄干１１Ａ，１１Ｂの周縁すなわち前記手摺フレーム２３Ａ，２３Ｂには、前記踏段１０と同期して移動する前記移動手摺１２Ａ，１２Ｂが案内されている。そして、主枠８の外表面は、安全性や意匠性のために化粧板などの外装板２６によって被われている。ところで、欄干１１Ａ，１１Ｂの踏段１０からの高さ寸法は従来のエスカレーターとほぼ同じである。
【００１７】
一方、本実施例では、上弦材１４を上水平部Ａの途中すなわち踏段１０の移動走行に沿う長手方向の中間部から傾斜部Ｃにかけて緩やかにかつ直線的に上方へ高く配置し、また、上弦材１４を下水平部Ｂの途中から傾斜部Ｃにかけて緩やかにかつ直線的に上方へ高く配置する構成としている。つまり、上弦材１４を上水平部Ａの途中から傾斜部Ｃにかけて、また、下水平部Ｂの途中から傾斜部Ｃにかけて、そして傾斜部Ｃの全長に亘って、欄干１１Ａ，１１Ｂの内側で手摺フレーム２３Ａ，２３Ｂに沿って近接して設けている。云い代えると、欄干１１Ａ，１１Ｂの内部でその全長に亘って移動手摺１２Ａ，１２Ｂに近接して高く構成されている。
【００１８】
その結果、上下水平部Ａ，Ｂの一部から傾斜部Ｃに至る側枠体１３Ａ，１３Ｂの上弦材１４と下弦材１５間の間隔は、上下水平部Ａ，Ｂの各端部における側枠体１３Ａ，１３Ｂの上弦材１４と下弦材１５間の間隔（又は主枠８の上下水平部Ａ，Ｂの端部の高さ寸法）ｈａ，ｈｂよりも広がり、傾斜部Ｃにおける側枠体１３Ａ，１３Ｂの上弦材１４と下弦材１５間の間隔ｈｃは最大となっている（ｈｃ＞ｈａ，ｈｂ）。具体的に前記間隔ｈｃは、エスカレーターの機種により多少異なるが、間隔ｈａ，ｈｂの２倍以上になっている。また、主枠８の傾斜部Ｃにおける側枠体１３Ａ，１３Ｂの上下辺部間の間隔ｈｃは、隣接する踏段１０の踏面のライザ側端を結ぶ線を基準として、側枠体１３Ａ，１３Ｂの下辺部までの高さ寸法ｈｄと、上辺部までの高さ寸法ｈｅとに区分され、本実施例においては、高さ寸法ｈｄよりも高さ寸法ｈｅを大きく形成している。このように区分けされる前記高さ寸法ｈｄ内に、前記無端状に連結された踏段１０及び踏段１０を移動させるための踏段チェーン９Ａ，９Ｂ、さらには踏段１０の走行を案内する案内レール２０，２１などが配置されるのである。
【００１９】
前述のように、上下水平部Ａ，Ｂの高さ寸法ｈａ，ｈｂを従来に比べて３０％以上低くしていることから、本実施例においても、この高さ寸法ｈｄは従来に比べて当然低く形成されており、これにより設置スペースを可能な限り小さくしている。そして、各高さ寸法ｈａ，ｈｂ，ｈｃ，ｈｄ，ｈｅの関係は、ｈｃ＞ｈｅ＞ｈａ，ｈｂ＞ｈｄあるいはｈｃ＞ｈｅ＞ｈｄ＞ｈａ，ｈｂとなる。ここで、高さ寸法ｈａ，ｈｂとｈｄとが逆になる場合があるが、この差異は帰路側の踏段１０の姿勢によるものである。
【００２０】
本実施例によれば、上記のように構成したことにより、主枠８端部の高さ寸法は低く、傾斜部Ｃから上下水平部Ａ，Ｂの一部にかけて側枠体１３Ａ，１３Ｂの上，下弦材１４，１５間の間隔を広くしたので、主枠８は十分な強度を確保することができる。そのため、エスカレーター７を一体で運搬及び据え付けの際に、主枠８の撓みが生じないので、主枠８の補強が不要となり、また、エスカレーター７の芯出しが容易にできる。
【００２１】
工事面においても、本実施例における主枠８端部の高さ寸法は低いので、設置の有利性を損なわない。つまり、主枠８の上下水平部端の高さ寸法は低くしたままなので、上階床１と下階床２，階段３と干渉する部分が少なく、その結果、干渉する上下階床や階段を改造する作業が少なくなるので、設置の有利性を損なわないのである。
【００２２】
上述の構成のエスカレーター７において、側枠体１３Ａ，１３Ｂの上弦材１４の高さが変化する位置（上弦材１４と下弦材１５の間隔が変化する位置）２７で、応力が集中する心配がある場合には、前記位置２７で、前記主枠８を下方から支持する支持手段である支柱２８を階段３の上部傾斜通路５を貫通して設けても良い。
【００２３】
また、この階段３の上部傾斜通路５の貫通の工事が厄介な場合には、図３，図４に示すように、支持手段を第１の支持手段と第２の支持手段とで構成して支持するようにしても良い。即ち、階段３の上部傾斜通路５に設置される第１の支持手段である支柱２９Ａ，２９Ｂで主枠８を下方から支持し、下階床２に設置される第２の支持手段である支柱３０で階段３（上部傾斜通路５）を下方から支持するのである。
【００２４】
次に、図５を用いて、他の実施例について説明する。
【００２５】
本実施例においても、前述の実施例と同様に主枠３１を構成する側枠体３２は、その全長に亘って上辺部に設けられた上弦材３３と、全長に亘って下辺部に設けられた下弦材３４と、これら上弦材３３と下弦材３４を連結する縦部材３５により構成され、これら部材３３，３４，３５でトラスを構成している。そして、主枠３１を構成する側枠体３２の上弦材３３を、上水平部Ａの途中から垂直方向に高く配置し、高い位置を保ったまま傾斜部Ｃにかけて上弦材３３を配置している。同様に、下水平部Ｂにおいても、上弦材３３を、下水平部Ｂの途中から垂直方向に高く配置し、高い位置を保ったまま傾斜部Ｃにかけて上弦材３３を配置している。このように形成することにより、側枠体３２の上弦材３３と下弦材３４間の間隔は、傾斜部Ｃから上水平部Ａ及び下水平部Ｂに亘って、上水平部Ａの上端部における側枠体３２の上弦材３３と下弦材３４間の間隔ｈａ及び下部水平部Ｂの下端部における側枠体３２の上弦材３３と下弦材３４間の間隔ｈｂより広く構成され、傾斜部Ｃにおける上弦材３３と下弦材３４間の間隔ｈｃは最大となっている（ｈｃ＞ｈａ，ｈｂ）。
【００２６】
なお、本実施例においても、側枠体３２は、上弦材３３と下弦材３４間の間隔を傾斜部Ｃから上下水平部Ａ，Ｂに亘って、水平部Ａ，Ｂの上下端部における側枠体の上弦材３３と下弦材３４間の間隔より広くした構成としているので、設置の有利性を損なうことなく主枠の強度を維持することができる。
【００２７】
なお、本発明は上記実施例に限定されるものではなく、例えば、通常の側枠体の上方に、補強の為の追加の側枠体を後付けして側枠体を２段重ねとし、傾斜部から上下水平部に亘って側枠体の上下の幅（通常の側枠体の下弦材と、追加の側枠体の上弦材間の間隔）を広げた構成としても良い。
【００２８】
この構成は、エスカレーターの運搬に主枠の撓みが少ないことが条件とされるが、後付けにする側枠体を個別に運搬することができる。
【００２９】
また、エスカレーターを階段に設置した場合、エスカレーター（主枠）と階段との間に余裕があれば、上述の実施例のように上方のみに側枠体の上弦材と下弦材間の間隔を広げるのではなく、下方にも側枠体の上弦材と下弦材間の間隔を広げて、主枠の強度を維持するようにしても良い。例えば、図１に示したエスカレーターの場合は、上水平部Ａの途中から傾斜部Ｃの中間踊り場４付近まで、側枠体の上弦材１４と下弦材１５間の間隔を下方に広げることができる。
【００３０】
以上、上述の各実施例では、側枠体を、上弦材，下弦材，縦部材で構成しているが、強度と軽量をある程度維持できるものであれば、この構成に限定されるわけではなく、例えば、Ｉ型鋼を用いて側枠体を構成しても良い。この場合でも、側枠体の上辺部と下辺部間の間隔、つまり、側枠体の上辺部と下辺部間の幅寸法を、傾斜部から上下水平部に亘って広くして、上記の実施例と同様の効果を奏することができる。
【００３１】
【発明の効果】
本発明によれば、上辺部，下辺部間隔を広げた側枠体は、垂直方向に対して補強されるため、主枠全体の強度を維持することができ、主枠の強度不足による諸問題を一掃することが出来る。
【図面の簡単な説明】
【図１】  本発明によるエスカレーターの実施例を示す概略側面図である。
【図２】  図１のII−II線に沿う拡大断面図である。
【図３】  図１におけるエスカレーターの上階床近傍の他の実施例を示す部分断面図である。
【図４】  図３のIV−IV線に沿う拡大断面図である。
【図５】  本発明によるエスカレーターの主枠の他の実施例を示す概略側面図である。
【図１】
0003884913.tif 000002
【図２】
0003884913.tif 000003
【図３】
0003884913.tif 000004
【図４】
0003884913.tif 000005
【図５】
0003884913.tif 000006